(57)【要約】段階的除毛面において、隣接する山と谷の形状をなす面を画定する複数の突出物を有する基板を具備している。複数の研磨構成要素は、突出物を形成する少なくとも一つの面より突出し、毛深い表面上を段階的除毛面が移動することにより、毛深い表面から毛を段階的に磨耗する。
2006509588.tif 000002
【特許請求の範囲】
【請求項１】
隣接する山と谷の形状をなす表面により画定される、複数の突出物を含む面を有する基板と、
毛深い表面上を徐毛面が移動することにより、毛深い表面から毛を段階的に研磨する、少なくとも一つの面から突出する複数の研磨構成要素と、
を具備する段階的徐毛面。
【請求項２】
前記突出物が頂点を有するほぼ三角形の形状の横断面を画定し、その頂点の少なくとも一部分が潤滑材料を皮膜されている、請求項１記載の段階的徐毛面。
【請求項３】
前記突出物がほぼ三角形の形状の横断面を画定し、頂点が潤滑材料により形成されている、請求項１記載の段階的除毛面。
【請求項４】
前記基板が金属である、請求項１記載の段階的除毛面。
【請求項５】
前記基板が非晶質金属である、請求項４記載の段階的徐毛面。
【請求項６】
前記基板が重合体である、請求項1記載の段階的徐毛面。
【請求項７】
前記突出物がピラミッドの形状であり、少なくとも４つの傾斜面を画定し、前記研磨構成要素が前記傾斜面から外側に突出する、請求項１記載の段階的徐毛面。
【請求項８】
前記突出物が少なくとも一列に配置され、各々の突出物が伸長し、少なくも２つの対面する傾斜面をもつほぼ三角形の横断面を画定し、前記傾斜面が傾斜面から外側に突出する複数の前記研磨構成要素を含む、請求項１記載の段階的徐毛面。
【請求項９】
前記突出物の一部分が潤らかな頂点を画定する、請求項７記載の段階的徐毛面。
【請求項１０】
前記突出物の一部分が潤らかな頂点を画定する、請求項８記載の段階的徐毛面。
【請求項１１】
前記突出物が鋭い刃を画定する、請求項１記載の段階的徐毛面。
【請求項１２】
隣接する山と谷の形状をなす傾斜面により画定される、複数の突出物を有する基板と、
毛深い表面から毛を研磨する前記傾斜面から外側に突出する複数の研磨構成要素と、
少なくともその一部が潤滑材料により形成される前記頂点の部分と、
を具備する段階的徐毛面。
【発明の詳細な説明】
【技術分野】
【０００１】
関連出願の相互参照
本願は、２００２年１２月１３日に出願された米国仮特許出願６０／４３３，７０９に開示された本質的な内容は参照によって本明細書に組み込まれる。
【０００２】
発明の分野
本発明は一般的に毛深い表面を除毛することに係り、特に研磨式除毛装置に関する。
【背景技術】
【０００３】
従来、シェービングによる除毛は、一般的に剃刀の刃といった極めて鋭利な刃を用いることにより実施されていた。刃は、通常何かしらの方法によりハンドルに連結している筐体内に保持されている。シェービング操作の間、剃刀の刃の接触面はユーザの皮膚上を移動し、できる限り皮膚の表面に近いところで毛をカットする。深剃りは、いかに皮膚と刃とを密着させ、皮膚から突出する毛をカットするかに依存している。深剃りは、皮膚の同じ箇所を数回剃ることにより、毛をカットし、剃るたびに皮膚から突出する毛の長さを短くする。一方では、剃刀に数枚の刃を内蔵することにより、一回の剃りで2回以上毛をカットすることができる。しかしながら、剃刀の刃が皮膚の同じ箇所を何度も行き来することは、より多くの毛がカットされるが、不快感を生じる可能性も高い。
【０００４】
刃を用いた従来の剃刀を製造する過程における欠点として、極めて鋭利な刃先のため、その取り扱いが難しいことである。さらに、このような刃を大量生産するには、大規模な装置、プロセスコントロールを必要とするので、費用を高めてしまうこととなる。
【０００５】
さらに、剃刀の刃で毛をカットすると、毛の切断面は鋭利となる傾向がある。したがって、深剃りが成せたとはいえ、剃り面を触れるとザラザラとなる感触を与える。反対に、毛を研磨した場合は、ソフトで快適な剃り感を感じる。
【発明の開示】
【発明が解決しようとする課題】
【０００６】
以上の点に鑑みて、本発明の一般的目的は、従来技術に付随した問題点及び欠点を解決するシェービング面を提供することである。
【課題を解決するための手段】
【０００７】
本発明は、一態様において、複数の突出物を有する面を備える基板を特徴とする段階的除毛面にある。各々の突出物は、隣接する山と谷の形状をなす面を有する。複数の研磨構成要素は少なくとも一つの面から突出し、除毛面が毛深い表面上を移動することにより、毛を段階的に研磨する。
【０００８】
好ましくは、各々の突出物は、頂点又は先端を有する一般的に対面する傾斜面により形成される三角形の形状の横断面を画定する。本発明の好適な実施例において、除毛面が毛深い表面上を移動する際に、滑らからな剃り感と不快感を最小限にするために、少なくとも先端の一部は、Polyox（商標登録）等の潤滑材料をコーティングされる。
【０００９】
基板は、非晶質金属メタル、ポリマー等の適切な材料により形成される。しかし、本発明はこの点において限定されず、ステンレススチール、タングステン、金属をコーティングしたポリマーに代替することができる。さらに、潤滑材料はコーティング形状をなすことができる。又は、材料の一部分を一つ以上の突出物の先端に付着させることができる。
【００１０】
突出物は伸長し、各々の突出物は、そのベース部が隣の突出物のベース部に隣接するように、少なくとも一列に配置される。突出物は、4つ以上の面をもつピラミッド形状を成すことができ、その内１つ以上の面において、面の外側に突出する複数の磨耗構成要素を有する。突出物は、円筒型、三角形等のような集合体で毛を研磨することができれば如何様なる形態をなすことができる。
【発明を実施するための最良の形態】
【００１１】
図１に示すように、段階的除毛面は、一般的に参照番号１０で参照され、基板１２を有し、基板の外側に向けて突出物１４が伸長し、各々の突出物が隣接した山と谷の形状をなすよう表面１６を画定する。シェービング操作において、段階的除毛面が毛深い表面上を移動するにつれて、段階的に毛を研磨するよう複数の研磨構成要素２２は、少なくとも複数の表面１６から外側に向けて突出する。本実施例において、異なるサイズの研磨構成要素１４が示されているが、本発明の幅広い側面から逸脱することなく、任意の数の不ぞろい又は均一のサイズの研磨構成要素を適用することができるで、本発明はこの点において限定されない。
【００１２】
実施例では、突出物１４は交角θを有する二等辺三角形として示されており、各々の三角形の交差する面の角度が同一であるが、本発明は、この点において限定されない。構成要素は形状が三角形である必要はない。２つの面又は２つの表面１６が同じ長さであり、角度が均一であることも必須要件ではない。本発明の趣旨に逸脱することなく、異なる幾何学的形状及び角度構造を適用することができる。図２で示されている本発明の実施例において、各々の突出物１４は伸長し、三角形上の横断面を有している。さらに、突出物１４は一列上に配置され、各々の突出物は隣の突出物１４にほぼ平行となるよう配置されている。
【００１３】
図１及び図２を参照すると、各々の突出物は頂点の部分２４を画定しており、本実施例において、頂点はPolyox（商標登録）等の潤滑材料によりコーティングされているので、シェービング操作の間、段階的除毛面がユーザの皮膚上を滑らかに移動することができる。本実施例においては、頂点の部分又は頂角２４は潤滑材料でコーティングされているが、頂点の一部が研磨材料でコーティングされればよく、本発明はこの点において限定されない。さらに、図３に示すように、頂点全体を潤滑材料で形成することができる。再度、図２を参照すると、研磨構成要素は表面１６より突出し、ピラミッドの形状をなしている。しかしながら、本発明はこの点においても限定されず、研磨構成要素は円錐の形状、又は突出部の全長に沿って伸長することができ、本発明の幅広い範囲を逸脱することなく、三角形又は他の形状の横断面を画定することができる。
【００１４】
次に、図4及び図５を参照すると、本発明の段階的除毛面はプリズムの形状とすることができ、複数の突出物が各々のベース部沿って隣接し、プリズムの1面又は複数の面より、複数の研磨構成要素が伸長している。
【００１５】
シェービング操作の間、本発明の段階的除毛面は異なるシェービングヘッドに装着することが可能であり、毛深い表面上を簡単に移動することができるよう面を配置することができる。段階的除毛面が毛深い表面に密着している間、研磨構成要素は密着する毛を研磨し、段階的除毛面の研磨的性質により、毛の切断面がギザギザとなるので、深剃り感と共に、ソフトで滑らかな剃り感を達成することができる。
【００１６】
特定の好ましい形態は明らかにされ説明されているが、本発明の当業者は多様な修正及び代用ができることを理解するであろう。したがって、本発明の一例として説明されただけで、限定されるべきではない。
【図面の簡単な説明】
【００１７】
【図１】本発明の一実施例による段階的除毛面を部分的に拡大した側面図である。
【図２】図１の実施例の斜視図である。
【図３】図1の実施例を部分的に拡大した側面図であり、突出物の先端部は潤滑材料により形成されている。
【図４】本発明の別の実施例による段階的除毛面の斜視図である。
【図５】図４の実施例を部分的に拡大した図である。
【図１】
2006509588.tif 000003
【図２】
2006509588.tif 000004
【図３】
2006509588.tif 000005
【図４】
2006509588.tif 000006
【図５】
2006509588.tif 000007
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
隣接する山と谷の形状をなす表面（１６）により画定される、複数の突出物（１４）を含む面を有する基板（１２）と、
毛深い表面上を徐毛面が移動することにより、毛深い表面から毛を段階的に研磨する、少なくとも一つの突出物（１４）から突出する複数の研磨構成要素（２２）と、
を具備する段階的徐毛面（１０）。
【請求項２】
前記突出物（１４）が頂点（２４）を有するほぼ三角形の形状の横断面を画定し、前記頂点（２４）の少なくとも一部分が潤滑材料を皮膜されている、請求項１記載の段階的徐毛面（１０）。
【請求項３】
前記突出物（１４）がほぼ三角形の形状の横断面を画定し、頂点（２４）が潤滑材料により形成されている、請求項１記載の段階的除毛面（１０）。
【請求項４】
前記基板（１２）が金属である、請求項１記載の段階的除毛面（１０）。
【請求項５】
前記基板（１２）が非晶質金属である、請求項４記載の段階的徐毛面（１０）。
【請求項６】
前記基板（１２）が重合体である、請求項1記載の段階的徐毛面（１０）。
【請求項７】
前記突出物（１４）がピラミッドの形状であり、少なくとも４つの傾斜面（１６）を画定し、前記研磨構成要素（２２）が前記傾斜面（１６）から外側に突出する、請求項１記載の段階的徐毛面（１０）。
【請求項８】
前記突出物（１４）が少なくとも一列に配置され、各々の突出物（１４）が伸長し、少なくも２つの対面する傾斜面（１６）をもつほぼ三角形の横断面を画定し、前記傾斜面（１６）が傾斜面から外側に突出する複数の前記研磨構成要素（２２）を含む、請求項１記載の段階的徐毛面（１０）。
【請求項９】
前記突出物（１２）の一部分が潤らかな頂点（２４）を画定する、請求項７記載の段階的徐毛面（１０）。
【請求項１０】
前記突出物（１２）の一部分が潤らかな頂点（２４）を画定する、請求項８記載の段階的徐毛面（１０）。
【手続補正２】
【補正対象書類名】明細書
【補正対象項目名】０００１
【補正方法】削除
【補正の内容】
【国際調査報告】
2006509588.tif 000008
2006509588.tif 000009
2006509588.tif 000010
2006509588.tif 000011